(57)【要約】  【課題】ゴミ等が遠心式給水ポンプに侵入した場合でも遠心モータがロックしない給水装置を提供する。  【解決手段】水が送水するためのインペラ８ｂが遠心モータ８ｅと直結していない構造であり、水タンク２に混入し、フィルタ８ａを通過してしまったゴミ等の異物が遠心給水ポンプ８に侵入した場合にインペラ８ｂがロック停止しても、遠心式給水ポンプ８の遠心モータ８ｅがロック停止することはなく、遠心モータｅが故障することを防止でき、遠心モータ８ｅの故障による高額な遠心モータ８ｅの交換が不要となり、メンテナンス費用を抑制することが可能となる。【選択図】図１
2007179369.tif 000002
【特許請求の範囲】
【請求項１】
自動販売機内の水を貯水する水タンクと保温する湯タンクを連結する湯タンク接続チューブを備え、前記湯タンク接続チューブ間に前記水タンクの水を前記湯タンクに給水する給水ポンプを配置し、前記給水ポンプは水を送水するインペラ部がモータ部と直結していないインペラポンプであることを特徴とする自動販売機の給水装置。
【請求項２】
水タンク給水口と、前記水タンクに構成され送水口となる水タンク送水口を備え、前記水タンク給水口と前記水タンク送水口の位置をオフセットすることを特徴とする請求項１に記載の自動販売機の給水装置。
【請求項３】
水タンクに貯水された水をカップに導くためのノズルと、前記ノズルと給水ポンプを接続するノズル接続チューブと、前記給水ポンプと前記水タンクを接続する給水ポンプ接続チューブＢを備え、前記給水ポンプ接続チューブＢの内径が前記ノズル接続チューブの内径と同径以下の寸法とすることを特徴とする請求項１または２に記載の自動販売機の給水装置。
【請求項４】
給水ポンプに構成されたポンプ部に水抜き用の水抜き穴を形成したことを特徴とする請求項１から３のいずれかー項に記載の自動販売機の給水装置。
【請求項５】
給水ポンプを制御する主制御部を備え、前期給水ポンプの給水動作をリトライ動作することを特徴とする請求項１から４のいずれかー項に記載の自動販売機の給水装置。
【発明の詳細な説明】
【技術分野】
【０００１】
本発明は、給水装置に関するものであり、特にカップ式自動販売機に搭載するのに適した給水装置に関するものである。
【背景技術】
【０００２】
近年、カップ式自動販売機に湯タンクを搭載し、湯タンクに必要な水を給水する給水装置がある（例えば、特許文献１参照）。
【０００３】
図８は、特許文献１に記載された従来の給水装置の構成図である。図９は、特許文献１に記載された従来の給水装置の断面図である。図８、９に示すように、水道水を自動販売機に給水したり、止水したりする給水弁１と、給水弁１を通過した水を自動販売機内で一時的に貯水する水タンク２と、水タンク２の内部に構成され、水タンク２内の水が塩素の消費で、腐敗や異臭の発生を防止するために、水を電気分解を行い、塩素を発生させる塩素発生装置２ａと、給水弁１と水タンク２を接続する水タンク接続チューブ３と、飲料用の湯を生成し、保温する湯タンク４と、水タンク２の水を湯タンク４に給水するためのギア式給水ポンプ５と、ギア式給水ポンプ５の吸入口に構成され、水垢・ゴミ等を除去するフィルタ５ａと、ギア式給水ポンプ５に構成され、水を送水するギアＡ５ｂと、ギアＡ５ｂと一対に構成されたギアＢ５ｃと、ギアＡ５ｂとギアＢ５ｃを回転させるための動力となるギアモータ５ｄと、ギアＡ５ｂとギアモータ５ｄを直結させるための軸となるシャフトＡ５ｅと、水タンク２とギア式給水ポンプ５を接続する給水ポンプ接続チューブ６と、ギア式給水ポンプ５と湯タンク４を接続する湯タンク接続チューブ７から構成されている。
【０００４】
以上のように、構成された給水装置について、以下その動作を説明する。
【０００５】
まず、給水弁１を開けることで水道水を水タンク２に給水させ、水タンク２に貯水された水は、時間が経過すると、自然に塩素が消費され、水が腐敗することを防止するために、定期的に塩素発生装置２ａにて水を電気分解し、塩素を発生させている。この水タンク２に貯水された水はギア式給水ポンプ５に構成されたギアモータ５ｄに通電させることでギアＡ５ｂが回転し、ギアＡ５ｂとギアＢ５ｃはギアどうしが噛み合うように配置されているために、ギアＡ５ｂの回転に伴ってギアＢ５ｃが回転することによって、給水ポンプ接続チューブ６及び湯タンク接続チューブ７を経由して、湯タンク４に給水させている。
【特許文献１】特開平９−２７０７７号公報
【発明の開示】
【発明が解決しようとする課題】
【０００６】
しかしながら、上記従来の構成では、水タンク２に混入してしまったゴミ等の異物を水と一緒に給水してしまうことで、ギアＡ５ｂとギアＢ５ｃの間に入り込み、ギアモータ５ｄがロック停止して、最悪の場合にはギア式給水ポンプ５のギアモータ５ｄが故障してしまうために交換が必要となり、メンテナンス費用が高額となる課題を有していた。勿論、ゴミ等の侵入を防止する目的でフィルタ５ａをギア式給水ポンプ５の吸入口に設けているが、極小のゴミ等を除去するためにはフィルタ５ａのメッシュ寸法を極小にする必要があるが、極小にすると水タンク２及び給水ポンプ接続チューブ６に付着した水垢がフィルタ５ａに付着して、短期間で給水不良となる不具合が発生する。よって、フィルタ５ａのメッシュ寸法を確実にモータロックしない寸法まで極小にすることは困難であった。
【０００７】
本発明は、従来の課題を解決するもので、ゴミ等がギア式給水ポンプ５に侵入した場合でもギアモータ５ｄがロックせずに故障しない給水装置を提供することを目的とする。
【課題を解決するための手段】
【０００８】
上記従来の課題を解決するために、本発明の給水装置は、水が送水するためのインペラが遠心モータと直結していない構造であり、水タンクに混入し、フィルタを通過してしまったゴミ等の異物が遠心給水ポンプに侵入した場合に前記インペラがロック停止しても、前記遠心式給水ポンプの前記遠心モータがロック停止することはなく、前記遠心モータが故障することを防止でき、前記インペラを含むポンプ部の清掃又は最悪でもポンプの交換での対応が可能となる。
【０００９】
これによって、前記遠心モータの故障による高額な前記遠心モータの交換が不要となり、メンテナンス費用を抑制することが可能となる。
【００１０】
また、本発明の給水装置は、水タンク給水口と水タンク送水口の位置をオフセットする位置に配置することによって、給水中に発生した泡が前記遠心式給水ポンプに送水されることを防止できる。
【００１１】
これによって、給水流量が減少する等の給水不良を防止することが可能となる。
【００１２】
また、本発明の給水装置は、少量を吐出する場合にノズル接続チューブの内径が大きいと、吐出量のバラツキが発生するが、可能な限り内径を小さくした前記ノズル接続チューブを用いることで、吐出流量のバラツキを防止し、安定化させることが可能となる。また、給水ポンプ接続チューブＢの内径が前記ノズル接続チューブの内径と同径以下の寸法となるようにすることで、前記遠心式給水ポンプまで空気が入り込むことを防止できる。
【００１３】
これによって、吐出流量が減少する等の給水不良を防止することが可能となる。
【００１４】
また、本発明の給水装置は、インペラリブの最下端に水抜き穴を設けることで、多少の流量低減は発生するが、給水装置の水を全て排水した場合でも水が前記遠心式給水ポンプ内部に貯水することがないために、死水の発生を防止することが可能となる。
【００１５】
これによって、死水によって発生した腐敗水を飲料用水として利用してしまうことを防止することが可能となる。
【００１６】
また、本発明の給水装置は、給水動作をリトライ動作する制御動作を行うことによって前記遠心式給水ポンプの前記インペラ内部に空気が入り込むことによって、送水されずに給水不良が発生した場合でも、前記遠心式給水ポンプを一定時間停止させることで、空気が前記遠心式給水ポンプから抜けることが可能となる。そして、再度、前記遠心式給水ポンプを動作させることで正常な給水動作が可能となる。
【００１７】
これによって、エラー表示を示し、自動販売機等の機器が販売停止となり、販売機会を失うことを防止することが可能となる。
【発明の効果】
【００１８】
本発明の給水装置は、水が送水するためのインペラが遠心モータと直結していない構造であり、水タンクに混入し、フィルタを通過してしまったゴミ等の異物が遠心給水ポンプに侵入した場合にインペラがロック停止しても、遠心式給水ポンプの遠心モータがロック停止することはなく、遠心モータが故障することを防止でき、インペラを含むポンプ部の清掃又は最悪でもポンプの交換での対応が可能となる。よって、遠心モータの故障による高額な遠心モータの交換が不要となり、メンテナンス費用を抑制することが可能となる。
【００１９】
また、本発明の給水装置は、水タンク給水口と水タンク送水口の位置をオフセットする位置に配置することによって、給水中に発生した泡が遠心式給水ポンプに送水されることを防止でき、給水流量が減少する等の給水不良を防止することが可能となる。
【００２０】
また、本発明の給水装置は、少量を吐出する場合にノズル接続チューブの内径が大きいと、吐出量のバラツキが発生するが、可能な限り内径を小さくしたノズル接続チューブを用いることで、吐出流量のバラツキを防止し、安定化させることが可能となる。また、給水ポンプ接続チューブＢの内径がノズル接続チューブの内径と同径以下の寸法となるようにすることで、遠心式給水ポンプまで空気が入り込むことを防止でき、吐出流量が減少する等の給水不良を防止することが可能となる。
【００２１】
また、本発明の給水装置は、インペラリブの最下端に水抜き穴を設けることで、多少の流量低減は発生するが、給水装置の水を全て排水した場合でも水が遠心式給水ポンプ内部に貯水することがないために、死水の発生を防止することが可能となる。
【００２２】
また、本発明の給水装置は、給水動作をリトライ動作する制御動作を行うことによって遠心式給水ポンプのインペラ内部に空気が入り込むことによって、送水されずに給水不良が発生した場合でも、遠心式給水ポンプを一定時間停止させることで、空気が遠心式給水ポンプから抜けることが可能となる。そして、再度、遠心式給水ポンプを動作させることで正常な給水動作が可能となるために、エラー表示を示し、自動販売機等の機器が販売停止となり、販売機会を失うことを防止することが可能となる。
【発明を実施するための最良の形態】
【００２３】
請求項１に記載の発明は、水道水を自動販売機に給水したり、止水したりする給水弁と、前記給水弁を通過した水を自動販売機内で一時的に貯水する水タンクと、前記水タンクの内部に構成され、前記水タンク内の水が塩素の消費で、腐敗や異臭の発生を防止するために、水を電気分解を行い、塩素を発生させる塩素発生装置と、前記給水弁と前記水タンクを接続する水タンク接続チューブと、飲料用の湯を生成し、保温する湯タンクと、前記水タンクの水を前記湯タンクに給水するための遠心式給水ポンプと、前記遠心式給水ポンプの吸入口に構成され、水垢・ゴミ等を除去するフィルタと、前記遠心式給水ポンプに構成され、水を送水するインペラと、前記インペラの内部に構成されたマグネットＡと、前記インペラとは接触していないが磁力によって回転させるためのマグネットＢと、前記マグネットＢを回転させる為の動力となる遠心モータと、前記マグネットＢと前記遠心モータを直結させるための軸となるシャフトと、前記水タンクと前記遠心式給水ポンプを接続する給水ポンプ接続チューブと、前記遠心式給水ポンプと前記湯タンクを接続する湯タンク接続チューブを備え、水が送水するための前記インペラが前記遠心モータと直結していない構造であり、前記水タンクに混入し、前記フィルタを通過してしまったゴミ等の異物が前記遠心給水ポンプに侵入した場合に前記インペラがロック停止しても、前記遠心式給水ポンプの前記遠心モータがロック停止することはなく、前記遠心モータが故障することを防止でき、前記インペラを含むポンプ部の清掃又は最悪でもポンプの交換での対応が可能となる。
【００２４】
よって、前記遠心モータの故障による高額な前記遠心モータの交換が不要となり、メンテナンス費用を抑制することが可能となる。
【００２５】
請求項２に記載の発明は、請求項１に記載の発明に、さらに、前記水タンクに構成され、前記給水弁と接続される水タンク給水口と、前記水タンクに構成され、前記給水ポンプ接続チューブと接続される水タンク送水口を備え、前記水タンク給水口と前記水タンク送水口の位置をオフセットする位置に配置することによって、給水中に発生した泡が前記遠心式給水ポンプに送水されることを防止でき、給水流量が減少する等の給水不良を防止することが可能となる。
【００２６】
請求項３に記載の発明は、請求項１または２に記載の発明に、さらに、前記水タンクに貯水された水をカップに導くためのノズルと、前記ノズルと前記遠心式給水ポンプを接続するノズル接続チューブと、前記遠心式給水ポンプと前記水タンクを接続する給水ポンプ接続チューブＢを備え、この前記ノズルから注水させる水量は数ミリリットル程度の少量を吐出する必要があり、少量を吐出する場合に前記ノズル接続チューブの内径が大きいと、吐出量のバラツキが発生するが、可能な限り内径を小さくした前記ノズル接続チューブを用いることで、吐出流量のバラツキを防止し、安定化させることが可能となる。また、前記給水ポンプ接続チューブＢの内径が前記ノズル接続チューブの内径と同径以下の寸法となるようにすることで、前記遠心式給水ポンプまで空気が入り込むことを防止でき、吐出流量が減少する等の給水不良を防止することが可能となる。
【００２７】
請求項４に記載の発明は、請求項１から３のいずれか一項に記載の発明に、さらに、前記遠心式給水ポンプを構成しているポンプ部に設けたインペラリブと、前記インペラリブに設けた水抜き穴を備え、前記インペラリブの最下端に前記水抜き穴を設けることで、多少の流量低減は発生するが、給水装置の水を全て排水した場合でも水が前記遠心式給水ポンプ内部に貯水することがないために、死水の発生を防止することが可能となる。
【００２８】
請求項５に記載の発明は、請求項１から４のいずれか一項に記載の発明に、さらに、前記遠心式給水ポンプを制御する主制御部を備え、給水動作をリトライする制御動作を行うことによって前記遠心式給水ポンプの前記インペラ内部に空気が入り込むことによって、送水されずに給水不良が発生した場合でも、前記遠心式給水ポンプを一定時間停止させることで、空気が前記遠心式給水ポンプから抜けることが可能となる。そして、再度、前記遠心式給水ポンプを動作させることで正常な給水動作が可能となるために、エラー表示を示し、自動販売機等の機器が販売停止となり、販売機会を失うことを防止することが可能となる。
【００２９】
以下、本発明による給水装置の実施の形態について、図面を参照しながら説明するが、従来例または先に説明した実施の形態と同一構成については、同一符号を付してその詳細な説明を省略する。なお、この実施の形態によってこの発明が限定されるものではない。
【００３０】
（実施の形態１）
図１は、本発明の実施の形態１による給水装置の構成図である。図２は、同実施の形態の給水装置の断面図である。
【００３１】
図１、図２において、水道水を自動販売機に給水したり、止水したりする給水弁１と、給水弁１を通過した水を自動販売機内で一時的に貯水する水タンク２と、水タンク２の内部に構成され、水タンク２内の水が塩素の消費で、腐敗や異臭の発生を防止するために、水を電気分解を行い、塩素を発生させる塩素発生装置２ａと、給水弁１と水タンク２を接続する水タンク接続チューブ３と、飲料用の湯を生成し、保温する湯タンク４と、水タンク２の水を湯タンク４に給水するための遠心式給水ポンプ８と、遠心式給水ポンプ８の吸入口に構成され、水垢・ゴミ等を除去するフィルタ８ａと、遠心式給水ポンプ８に構成され、水を送水するインペラ８ｂと、インペラ８ｂの内部に構成されたマグネットＡ８ｃと、インペラ８ｂとは接触していないが磁力によって回転させるためのマグネットＢ８ｄと、マグネットＢ８ｄを回転させる為の動力となる遠心モータ８ｅと、マグネットＢ８ｄと遠心モータ８ｅを直結させるための軸となるシャフト８ｆと、水タンク２と遠心式給水ポンプ８を接続する給水ポンプ接続チューブ６と、遠心式給水ポンプ８と湯タンク４を接続する湯タンク接続チューブ７が構成されている。
【００３２】
以上のように構成された給水装置について、以下その動作を説明する。
【００３３】
まず、給水弁１を開けることで水道水を水タンク２に給水させ、水タンク２に貯水された水は、時間が経過すると、自然に塩素が消費され、水が腐敗することを防止するために、定期的に塩素発生装置２ａにて水を電気分解し、塩素を発生させている。この水タンク２に貯水された水は遠心式給水ポンプ８に構成された遠心モータ８ｅに通電させることでマグネットＢ８ｄが回転し、マグネットＢ８ｄとマグネットＡ８ｃを構成したインペラ８ｂは磁力によって引き合うように配置されているために、マグネットＢ８ｄの回転に伴ってインペラ８ｂが回転することによって、給水ポンプ接続チューブ６及び湯タンク接続チューブ７を経由して、湯タンク４に給水させている。
【００３４】
以上のように、本実施の形態の給水装置は、水が送水するためのインペラ８ｂが遠心モータ８ｅと直結していない構造であり、水タンク２に混入し、フィルタ８ａを通過してしまったゴミ等の異物が遠心給水ポンプ８に侵入した場合にインペラ８ｂがロック停止しても、遠心式給水ポンプ８の遠心モータ８ｅがロック停止することはなく、遠心モータｅが故障することを防止でき、インペラ８ｂを含むポンプ部の清掃又は最悪でもポンプの交換での対応が可能となる。よって、遠心モータ８ｅの故障による高額な遠心モータ８ｅの交換が不要となり、メンテナンス費用を抑制することが可能となる。
【００３５】
また、この実施の形態では、遠心式給水ポンプ８の吸入口にフィルタ８ａを構成しているが、遠心式給水ポンプ８とフィルタ８ａを独立構成として、遠心式給水ポンプ８と水タンク２の間にフィルタ８ａを構成する場合にも同様の効果を得ることが可能となる。
【００３６】
また、この実施の形態では、遠心式給水ポンプ８の吸入口にフィルタ８ａを構成しているが、ゴミ等の異物が混入する可能性がない場合には、水タンク２及び給水ポンプ接続チューブ６に付着した水垢の付着によるフィルタ８ａの詰りを防止するためにフィルタ８ａを廃止することも可能である。
【００３７】
また、この実施の形態では、湯タンク４に給水する給水装置において説明しているが、その他にも製氷機への給水及び水吐出等に用いて、水タンク２から遠心式給水ポンプ８で給水されるすべての給水回路において、同様の効果を得ることが可能となる。
【００３８】
（実施の形態２）
図３は、本発明の実施の形態２による給水装置の構成図である。
【００３９】
図３において、水タンク２に構成され、給水弁１と接続される水タンク給水口２ｂと、水タンク２に構成され、給水ポンプ接続チューブ６と接続される水タンク送水口２ｃが構成されている。
【００４０】
本実施の形態は、実施の形態１による給水装置に、さらに、水タンク給水口２ｂと水タンク送水口２ｃを設けたものである。
【００４１】
以上のように構成された給水装置について、以下その動作を説明する。
【００４２】
まず、水タンク２に構成されている水タンク給水口２ｂから水が給水されるが、水タンク２に貯水された水と接触するさいに、空気を巻き込みながら給水するために水中に一時的に泡が発生してしまう。よって、水タンク給水口２ｂと水タンク送水口２ｃが直線的に位置に配置されていると給水中に発生した泡が給水ポンプ接続チューブ６を経由して、遠心式給水ポンプ８に送水されるために、給水流量が減少又は空気が遠心式給水ポンプ８から送水されずに給水不良が発生する可能性がある。そこで、水タンク給水口２ｂと水タンク送水口２ｃの位置をオフセットする位置に配置することによって、給水中に発生した泡が遠心式給水ポンプ８に送水されることを防止でき、給水流量が減少する等の給水不良を防止することが可能となる。
【００４３】
（実施の形態３）
図４は、本発明の実施の形態３による給水装置の構成図である。
【００４４】
図４において、水タンク２に貯水された水をカップに導くためのノズル９と、ノズル９と遠心式給水ポンプ８を接続するノズル接続チューブ１０と、遠心式給水ポンプ８と水タンク２を接続する給水ポンプ接続チューブＢ１１が構成されている。
【００４５】
本実施の形態は、実施の形態１による給水装置に、さらに、ノズル９とノズル接続チューブ１０と給水ポンプ接続チューブＢ１１を設けたものである。
【００４６】
以上のように構成された給水装置について、以下その動作を説明する。
【００４７】
まず、水タンク２に貯水された水は、遠心式給水ポンプ８を動作させることで給水ポンプ接続チューブＢ１１及びノズル接続チューブ１０を経由して、ノズル９からカップに注水している。このノズル９から注水させる水量は数ミリリットル程度の少量を吐出する必要があり、少量を吐出する場合にノズル接続チューブ１０の内径が大きいと、吐出量のバラツキが発生するが、可能な限り内径を小さくしたノズル接続チューブ１０を用いることで、吐出流量のバラツキを防止し、安定化させることが可能となる。
【００４８】
また、吐出後はノズル９の先端まで満たされた水が空気が入り込むことによって遠心式給水ポンプ８を経由して水タンク２まで戻るが、給水ポンプ接続チューブＢ１１の内径がノズル接続チューブ１０の内径より大きい場合には、給水ポンプ接続チューブＢ１１の抵抗が少ないために、水と一緒に遠心式給水ポンプ８のインペラ８ｂ部にまで水面が下がり、空気が入り込んで滞留することによって、次の吐出動作時に吐出流量が減少する又は空気が遠心式給水ポンプ８から送水されずに給水不良が発生する可能性がある。そこで、給水ポンプ接続チューブＢ１１の内径がノズル接続チューブ１０の内径と同径以下の寸法となるようにすることで、遠心式給水ポンプ８まで空気が入り込むことを防止でき、吐出流量が減少する等の給水不良を防止することが可能となる。
【００４９】
（実施の形態４）
図５は、本発明の実施の形態４による給水装置の断面図である。
【００５０】
図５において、遠心式給水ポンプ８を構成しているポンプ部に設けたインペラリブ８ｇと、インペラリブ８ｇに設けた水抜き穴８ｈが構成されている。
【００５１】
本実施の形態は、実施の形態１による給水装置に、さらに、インペラリブ８ｇと水抜き穴８ｈを設けたものである。
【００５２】
以上のように構成された給水装置について、以下その動作を説明する。
【００５３】
まず、遠心式給水ポンプ８を動作させて給水する場合に、ポンプ部のインペラリブ８ｇが必要となる。これは、インペラ８ｂを回転させて遠心式給水ポンプ８の吸入口から送水口に水を送水するが、インペラリブ８ｇがない場合には送水する水が一部吸入口に戻るために、給水量が減少する。よって、インペラリブ８ｇは必要であるが、給水装置の水を全て排水した場合には、インペラリブ８ｇがあることでインペラリブ８ｇの高さまでに貯水された水は、水が抜けることがなく死水となる不具合が発生する。そこで、インペラリブ８ｇの最下端に水抜き穴８ｈを設けることで、多少の流量低減は発生するが、給水装置の水を全て排水した場合でも水が遠心式給水ポンプ８内部に貯水することがないために、死水の発生を防止することが可能となる。
【００５４】
（実施の形態５）
図６は、本発明の実施の形態５による給水装置の構成図である。図７は、同実施の形態の給水装置の動作を示すフローチャートである。
【００５５】
図６において、遠心式給水ポンプ８を制御する主制御部１２が構成されている。
【００５６】
本実施の形態は、実施の形態１による給水装置に、さらに、主制御部１２を設けたものである。
【００５７】
以上のように構成された給水装置について、以下その動作を説明する。
【００５８】
まず、水タンク２に貯水された水をＳＴＥＰ１で遠心式給水ポンプ８を動作させることで、給水ポンプ接続チューブ６及び湯タンク接続チューブ７を経由して、湯タンク４に給水させている。そして、ＳＴＥＰ２で湯タンク４に構成された水位検知で満水を検知すると、ＳＴＥＰ３で遠心式給水ポンプ８の動作を停止するが、ＳＴＥＰ２で満水を検知しない場合にはＳＴＥＰ４で一定時間経過したかどうか判断して、ＳＴＥＰ５で遠心式給水ポンプ８の動作を停止する。次にＳＴＥＰ６で遠心式給水ポンプ８を停止させて一定時間が経過したかどうか判断し、ＳＴＥＰ７で再度、遠心式給水ポンプ８を動作させてＳＴＥＰ８で湯タンク４に構成された水位検知で満水を検知すると、ＳＴＥＰ９で遠心式給水ポンプ８の動作を停止するが、ＳＴＥＰ８で満水を検知しない場合にはＳＴＥＰ１０で一定時間経過したかどうか判断して、ＳＴＥＰ１１で遠心式給水ポンプ８の動作を停止し、ＳＴＥＰ１２で給水不良が発生したことをエラー表示にて示す。このように、ＳＴＥＰ６からＳＴＥＰ１１までの制御動作を行うことによって遠心式給水ポンプ８のインペラ８ｂ内部に空気が入り込むことによって、送水されずに給水不良が発生した場合でも、ＳＴＥＰ５からＳＴＥＰ６で遠心式給水ポンプ８を一定時間停止させることで、空気が遠心式給水ポンプ８から抜けることが可能となる。そして、再度ＳＴＥＰ７で遠心式給水ポンプ８を動作させることで正常な給水動作が可能となるために、エラー表示を示し、自動販売機等の機器が販売停止となり、販売機会を失うことを防止することが可能となる。
【産業上の利用可能性】
【００５９】
以上のように、本発明にかかる給水装置は、遠心式給水ポンプのようにインペラと遠心モータが直結されておらずに磁力によって回転し、給水するポンプを使用することで、ゴミ等が侵入した場合でもモータのロックによって故障する可能性がなくなるので、自動販売機だけでなく、給水機能を求められる給水装置を搭載した商品に適用できる。
【図面の簡単な説明】
【００６０】
【図１】本発明による給水装置の実施の形態１の構成図
【図２】本発明による給水装置の実施の形態１の断面図
【図３】本発明による給水装置の実施の形態２の構成図
【図４】本発明による給水装置の実施の形態３の構成図
【図５】本発明による給水装置の実施の形態４の断面図
【図６】本発明による給水装置の実施の形態５の構成図
【図７】本発明による給水装置の実施の形態５の動作を示すフローチャート
【図８】従来の給水装置の構成図
【図９】従来の給水装置の断面図
【符号の説明】
【００６１】
１    給水弁
２    水タンク
２ａ  塩素発生装置
２ｂ  水タンク給水口
２ｃ  水タンク送水口
３    水タンク接続チューブ
４    湯タンク
６    給水ポンプ接続チューブ
７    湯タンク接続チューブ
８    遠心式給水ポンプ
８ａ  フィルタ
８ｂ  インペラ
８ｃ  マグネットＡ
８ｄ  マグネットＢ
８ｅ  遠心モータ
８ｆ  シャフト
８ｈ  水抜き穴
９    ノズル
１０  ノズル接続チューブ
１１  給水ポンプ接続チューブＢ
１２  主制御部
【図１】
2007179369.tif 000003
【図２】
2007179369.tif 000004
【図３】
2007179369.tif 000005
【図４】
2007179369.tif 000006
【図５】
2007179369.tif 000007
【図６】
2007179369.tif 000008
【図７】
2007179369.tif 000009
【図８】
2007179369.tif 000010
【図９】
2007179369.tif 000011